(57)【特許請求の範囲】
【請求項１】
内部に駆動モジュール（２）が設けられたハウジング（１）を備えるマルチグルーマーであって、
少なくとも２つのカッターユニットを更に備え、各カッターユニットにホルダが設けられ、前記ホルダの一端にカッターユニットが固定され、他端がハウジング（１）にヒンジ連結され、前記ホルダのヒンジ連結点が駆動モジュール（２）の出力軸方向に沿って順次配置され、
各前記カッターユニットは、駆動モジュール（２）と動力結合するまで回転した時の作動位置と、ハウジング（１）の内部に回転した時の収容位置とを有し、前記駆動モジュール（２）の出力軸とカッターユニットの入力軸との間にクラッチ式軸継手が設けられていることを特徴とするマルチグルーマー。
【請求項２】
前記カッターユニットは、鼻毛カッター部（３）、ヘアカッター部（４）、髭剃り部（５）を備え、第１ホルダ（６）、第２ホルダ（７）、第３ホルダ（８）が対応して配置され、
前記カッターユニットは、鼻毛カッター部（３）、ヘアカッター部（4）、髭剃り部（５）が全て収容位置にある時の収容ステーションと、鼻毛カッター部（３）が作動位置にあり、ヘアカッター部（４）、髭剃り部（５）が収容位置にある時の鼻毛カットステーションと、ヘアカッター部（４）が作動位置にあり、鼻毛カッター部（３）、髭剃り部（５）が収容位置にある時のヘアカットステーションと、髭剃り部（５）が作動位置にあり、鼻毛カッター部（３）、ヘアカッター部（４）が収容位置にある時の髭剃りステーションと、を有することを特徴とする請求項１に記載のマルチグルーマー。
【請求項３】
前記鼻毛カッター部（３）、ヘアカッター部（４）、髭剃り部（５）の入力軸の端部の回転軌跡それぞれが第１軌跡（Ｌ１）、第２軌跡（Ｌ２）、第３軌跡（Ｌ３）であり、それぞれ半径がＲ１、Ｒ２、Ｒ３の半円状であり、前記第１軌跡（Ｌ１）、第２軌跡（Ｌ２）、第３軌跡（Ｌ３）が駆動モジュール（２）の出力軸の端部位置に接し、かつＲ１＜Ｒ２＜Ｒ３であることを特徴とする請求項２に記載のマルチグルーマー。
【請求項４】
前記第１ホルダ（６）、第２ホルダ（７）、第３ホルダ（８）が２本のアームを有するホルダであり、それぞれ鼻毛カッター部（３）、ヘアカッター部（４）、髭剃り部（５）と門型枠を構成し、ハウジング（１）の両側にヒンジ連結されていることを特徴とする請求項２又は３に記載のマルチグルーマー。
【請求項５】
前記第１ホルダ（６）、第２ホルダ（７）、第３ホルダ（８）のヒンジ連結点が駆動モジュール（２）の出力軸の先端から基端まで順次配置され、第１ホルダ（６）、第２ホルダ（７）、第３ホルダ（８）の両アーム間の距離が順次大きくなっていることを特徴とする請求項４に記載のマルチグルーマー。
【請求項６】
前記駆動モジュール（２）とハウジング（１）との間の隙間に杭部（９）が設けられ、前記第１ホルダ（６）、第２ホルダ（７）、第３ホルダ（８）が駆動モジュール（２）、杭部（９）及びハウジング（１）に順次ヒンジ連結されていることを特徴とする請求項５に記載のマルチグルーマー。
【請求項７】
前記ハウジング（１）は、半筐体状をなしており、出力軸が外方に向かうように前記駆動モジュール（２）がハウジング（１）の前半部分に位置し、前記ハウジング（１）の後半部分がカッターユニットの収容室（１０）であることを特徴とする請求項１、２又は３に記載のマルチグルーマー。
【請求項８】
前記ハウジング（１）の前半部分には駆動モジュール（２）を収容するための収納室（１１）が設けられ、前記ハウジング（１）と収納室（１１）とが一体成形されていることを特徴とする請求項７に記載のマルチグルーマー。
【請求項９】
前記ハウジング（１）には上蓋（１２）がヒンジ連結され、前記上蓋（１２）は、開放の際にカッターユニットを切り替えるための第１位置と、閉鎖の際に使用又は収容するための第２位置とを有することを特徴とする請求項７に記載のマルチグルーマー。
【請求項１０】
前記上蓋（１２）には駆動モジュール（２）のスイッチボタンを露出させるための切欠き（１３）が設けられていることを特徴とする請求項９に記載のマルチグルーマー。
【請求項１１】
前記クラッチ式軸継手は、駆動モジュール（２）の出力軸に取り付けられる駆動磁極（１４）と、カッターユニットの入力軸に取り付けられる従動磁極（１５）とを備える磁気軸継手であることを特徴とする請求項１に記載のマルチグルーマー。
【請求項１２】
前記磁気軸継手は、平面型同期伝動手段であり、前記駆動磁極（１４）と従動磁極（１５）との対向するディスク平面には、Ｎ極とＳ極が交互に配置された磁石が設けられていることを特徴とする請求項１１に記載のマルチグルーマー。
【請求項１３】
前記ハウジング（１）には駆動磁極（１４）と外部とを隔離するための隔離層（１６）が設けられていることを特徴とする請求項１１又は１２に記載のマルチグルーマー。
【請求項１４】
前記クラッチ式軸継手は、駆動モジュール（２）の出力軸に取り付けられる三角形の出力部（１７）と、カッターユニットの入力軸に取り付けられる凹状の連結部（１８）とを備え、前記三角形の出力部（１７）は、伸縮可能であり、圧縮された時にカッターを切り替えるための第１位置と、凹状の連結部（１８）内に伸長した時に伝動するための第２位置とを有することを特徴とする請求項１に記載のマルチグルーマー 。
【請求項１５】
前記凹状の連結部（１８）には三角形の出力部（１７）と嵌合するＹ字状溝が設けられ、前記Ｙ字状溝の３つの直溝の同側の辺にいずれも斜面（１９）が設けられていることを特徴とする請求項１４に記載のマルチグルーマー。
【発明の詳細な説明】
【技術分野】
【０００１】
本発明は、パーソナルケア用品分野に関わり、具体的にマルチグルーマーに関するものである。
【背景技術】
【０００２】
従来のグルーミング用品は、設計上においてコンパクト化の傾向があり、製品の種類が様々であるが機能が単一であり、その利点としては、美観で性能が安定している。グルーミング用品には、ヘアカッター、シェーバー、鼻毛カッター、眉毛カッターなど様々な製品があり、消費者にとっては、フルセットを購入すれば、コストが高いだけではなく、メンテナンスや保管も面倒である。市場には様々なマルチグルーマーが出回っていたが、いずれも欠点や不具合がある。
【０００３】
登録番号ＣＮ２０１９３１４７８Ｕの特許では、本体にヘアカッター、シェーバー、眉毛カッター、鼻毛カッター、マッサージャー、円形鼻毛トリマー、デンタルポリッシャー、ネイルポリッシャーなどの様々なアタッチメントを取り付けることができるマルチグルーマーを開示した。この特許では、アタッチメントが独立したものであり、使用する時に本体に取り付ける必要があり、操作が面倒で、ほかの使用していないアタッチメントが紛失しやすい。
【０００４】
公開番号ＣＮ１０４４９３８４８Ａの特許では、アクチュエータの回転によりシェーバー及びヘアカッターの機能切替を行うことができるシェーバー／ヘアカッターの一体化装置を開示した。この特許では、シェーバー及びヘアカッターそれぞれが二軸モータの２本の出力軸により駆動され、二軸モータの特性によりこの特許は２つの機能しか持たないので、より多くのグルーミング機能を達成することができない。
【発明の開示】
【０００５】
従来のマルチグルーマーの上記欠点を克服するために、本発明は、カッターユニット切り替え機能を有するマルチグルーマーを提供している。
【０００６】
本発明は、次の技術的手段を用いる。
マルチグルーマーは、内部に駆動モジュールが設けられたハウジングを備え、少なくとも２つのカッターユニットを更に備え、各前記カッターユニットにホルダが設けられ、前記ホルダの一端にカッターユニットが固定され、他端がハウジングにヒンジ連結され、前記ホルダのヒンジ連結点が駆動モジュールの出力軸方向に沿って順次配置され、各前記カッターユニットは、駆動モジュールと動力結合するまで回転した時の作動位置と、ハウジングの内部に回転した時の収容位置とを有し、前記駆動モジュールの出力軸とカッターユニットの入力軸との間にクラッチ式軸継手が設けられている。
【０００７】
前記カッターユニットは、鼻毛カッター部、ヘアカッター部、髭剃り部を備え、第１ホルダ、第２ホルダ、第３ホルダが対応して配置され、前記カッターユニットは、鼻毛カッター部、ヘアカッター部、髭剃り部が全て収容位置にある時の収容ステーションと、鼻毛カッター部が作動位置にあり、ヘアカッター部、髭剃り部が収容位置にある時の鼻毛カットステーションと、ヘアカッター部が作動位置にあり、鼻毛カッター部、髭剃り部が収容位置にある時のヘアカットステーションと、髭剃り部が作動位置にあり、鼻毛カッター部、ヘアカッター部が収容位置にある時の髭剃りステーションと、を有する。
【０００８】
前記鼻毛カッター部、ヘアカッター部、髭剃り部の入力軸の端部の回転軌跡それぞれが第１軌跡、第２軌跡、第３軌跡であり、それぞれ半径がＲ１、Ｒ２、Ｒ３の半円状であり、前記第１軌跡、第２軌跡、第３軌跡が駆動モジュールの出力軸の端部位置に接し、かつＲ１＜Ｒ２＜Ｒ３である。
【０００９】
前記第１ホルダ、第２ホルダ、第３ホルダが２本のアームを有するホルダであり、それぞれ鼻毛カッター部、ヘアカッター部、髭剃り部と門型枠を構成し、ハウジングの両側にヒンジ連結されている。
【００１０】
前記第１ホルダ、第２ホルダ、第３ホルダのヒンジ連結点が駆動モジュールの出力軸の先端から基端まで順次配置され、第１ホルダ、第２ホルダ、第３ホルダの両アーム間の距離が順次大きくなっている。
【００１１】
前記駆動モジュールとハウジングとの間の隙間に杭部が設けられ、前記第１ホルダ、第２ホルダ、第３ホルダが駆動モジュール、杭部及びハウジングに順次ヒンジ連結されている。
【００１２】
前記ハウジングは、半筐体状をなしており、出力軸が外方に向かうように前記駆動モジュールがハウジングの前半部分に位置し、前記ハウジングの後半部分がカッターユニットの収容室である。
【００１３】
前記ハウジングの前半部分には駆動モジュールを収容するための収納室が設けられ、前記ハウジングと収納室とが一体成形されている。
【００１４】
前記ハウジングには上蓋がヒンジ連結され、前記上蓋は、開放の際にカッターユニットを切り替えるための第１位置と、閉鎖の際に使用又は収容するための第２位置とを有する。
【００１５】
前記上蓋には駆動モジュールのスイッチボタンを露出させるための切欠きが設けられている。
【００１６】
前記クラッチ式軸継手は、駆動モジュールの出力軸に取り付けられる駆動磁極と、カッターユニットの入力軸に取り付けられる従動磁極とを備える。
【００１７】
前記磁気軸継手は、平面型同期伝動手段であり、前記駆動磁極と従動磁極との対向するディスク平面には、Ｎ極とＳ極が交互に配置された磁石が設けられている。
【００１８】
前記ハウジングには駆動磁極と外部とを隔離するための隔離層が設けられている。
【００１９】
前記クラッチ式軸継手は、駆動モジュールの出力軸に取り付けられる三角形の出力部と、カッターユニットの入力軸に取り付けられる凹状の連結部とを備え、前記三角形の出力部は、伸縮可能であり、圧縮された時にカッターを切り替えるための第１位置と、凹状の連結部内に伸長した時に伝動するための第２位置とを有する。
【００２０】
前記凹状の連結部には三角形の出力部と嵌合するＹ字状溝が設けられ、前記Ｙ字状溝の３つの直溝の同側の辺にいずれも斜面が設けられている。
【００２１】
本発明の有益な効果は次のとおりである。
本発明のカッターユニットは、作動位置と収容位置との両位置を有し、あるカッターユニットを使用しようとするときに、該カッターユニットを作動位置まで回転させ、クラッチ式軸継手を介して動力を伝達することで、該カッターユニットのグルーミング機能を達成することができ、全てのカッターユニットがハウジングに取り付けられているので、余計な組立作業をせずに異なるカッターユニットの切り替えを行うことができ、手軽で便利、部品の紛失が少ない。
【図面の簡単な説明】
【００２２】
【図１】図１は本発明の実施例１の外形概略図である。
【図２】図２は本発明の実施例１の構造概略図である。
【図３】図３は本発明の実施例１におけるカッターユニットの回転軌跡を示す概略図である。
【図４】図４は本発明の実施例１における収容ステーションを示す概略図である。
【図５】図５は本発明の実施例１における鼻毛カットステーションを示す概略図である。
【図６】図６は本発明の実施例１におけるヘアカットステーションを示す概略図である。
【図７】図７は本発明の実施例１における髭剃りステーションを示す概略図である。
【図８】図８は本発明の実施例１におけるハウジングを示す概略図である。
【図９】図９は本発明の実施例１における鼻毛カッター部を示す概略図である。
【図１０】図１０は本発明の実施例１におけるヘアカッター部を示す概略図である。
【図１１】図１１は本発明の実施例１における髭剃り部を示す概略図である。
【図１２】図１２は本発明の実施例１における磁気軸継手を示す概略図である。
【図１３】図１３は本発明の実施例１におけるＡ−Ａ断面概略図である。
【図１４】図１４は本発明の実施例２におけるクラッチ式軸継手を示す概略図である。
【図１５】図１５は本発明の実施例２における凹状の連結部を示す概略図である。
【００２３】
１：ハウジング、２：駆動モジュール、３：鼻毛カッター部、４：ヘアカッター部、５：髭剃り部、６：第１ホルダ、７：第２ホルダ、８：第３ホルダ、９：杭部、１０：収容室、１１：収納室、１２：上蓋、１３：切欠き、１４：駆動磁極、１５：従動磁極、１６：隔離層、１７：三角形の出力部、１８：凹状の連結部、１９：斜面、Ｌ１：第１軌跡、Ｌ２：第２軌跡、Ｌ３：第３軌跡
【発明を実施するための最良の形態】
【００２４】
以下、鼻毛カッター、ヘアカッター及び髭剃りの３つの機能を有するマルチグルーマーを実施例として、添付図面を参照しながら本発明を詳しく説明する。
【００２５】
実施例１では、図１、図２及び図３に示すように、マルチグルーマーは、内部に駆動モジュール２が設けられたハウジング１を備え、少なくとも２つのカッターユニットを更に備え、各前記カッターユニットにホルダが設けられ、前記ホルダの一端にカッターユニットが固定され、他端がハウジング１にヒンジ連結され、前記ホルダのヒンジ連結点が駆動モジュール２の出力軸方向に沿って順次配置され、各前記カッターユニットは、駆動モジュール２と動力結合するまで回転した時の作動位置と、ハウジング１の内部に回転した時の収容位置とを有し、前記駆動モジュール２の出力軸とカッターユニットの入力軸との間にクラッチ式軸継手が設けられ、駆動モジュール２が電源、モータ、回路基板、スイッチなどを含む。実施例１のカッターユニットは、作動位置と収容位置との両位置を有し、あるカッターユニットを使用しようとするときに、該カッターユニットを作動位置まで回転させ、クラッチ式軸継手を介して動力を伝達することで、該カッターユニットのグルーミング機能を達成することができ、全てのカッターユニットがハウジング１に取り付けられているので、余計な組立作業をせずに異なるカッターユニットの切り替えを行うことができ、手軽で便利、部品の紛失が少ない。
【００２６】
実施例１では、図２、図３、図４、図５、図６及び図７に示すように、前記カッターユニットは、鼻毛カッター部３、ヘアカッター部４、髭剃り部５を備え、第１ホルダ６、第２ホルダ７、第３ホルダ８が対応して配置され、前記カッターユニットは、鼻毛カッター部３、ヘアカッター部４、髭剃り部５が全て収容位置にある時の収容ステーションと、鼻毛カッター部３が作動位置にあり、ヘアカッター部４、髭剃り部５が収容位置にある時の鼻毛カットステーションと、ヘアカッター部４が作動位置にあり、鼻毛カッター部３、髭剃り部５が収容位置にある時のヘアカットステーションと、髭剃り部５が作動位置にあり、鼻毛カッター部３、ヘアカッター部４が収容位置にある時の髭剃りステーションと、を有する。実施例１の構造により、鼻毛カッター、ヘアカッター、髭剃りの３つの機能が統合され、より多くの機能を有するマルチグルーマーを得るために、本発明は、ユーザのニーズに応じてより多くの異なる機能を有するカッターユニットを組み合わせることができる。
【００２７】
実施例１では、図２、図３、図４、図５、図６及び図７に示すように、前記鼻毛カッター部３、ヘアカッター部４、髭剃り部５の入力軸の端部の回転軌跡それぞれが第１軌跡Ｌ１、第２軌跡Ｌ２、第３軌跡Ｌ３であり、それぞれ半径がＲ１、Ｒ２、Ｒ３の半円状であり、前記第１軌跡Ｌ１、第２軌跡Ｌ２、第３軌跡Ｌ３が駆動モジュール２の出力軸の端部位置に接し、かつＲ１＜Ｒ２＜Ｒ３である。実施例１におけるＬ１、Ｌ２、Ｌ３の位置関係は、鼻毛カッター部３、ヘアカッター部４、髭剃り部５が干渉せずに回転するとともに同じ駆動モジュール２と動力結合することを確保する。
【００２８】
実施例１では、図９、図１０、図１１に示すように、前記第１ホルダ６、第２ホルダ７、第３ホルダ８が２本のアームを有するホルダであり、それぞれ鼻毛カッター部３、ヘアカッター部４、髭剃り部５と門型枠を構成し、ハウジング１の両側にヒンジ連結されている。実施例１では、好ましくは２本のアームを有するホルダを用い、取り付けが堅固で、安定性が優れたという利点を有する。
【００２９】
実施例１では、図２、図３、図４、図５、図６及び図７に示すように、前記第１ホルダ６、第２ホルダ７、第３ホルダ８のヒンジ連結点が駆動モジュール２の出力軸の先端から基端まで順次配置され、第１ホルダ６、第２ホルダ７、第３ホルダ８の両アーム間の距離が順次大きくなっている。実施例１では、第１ホルダ６、第２ホルダ７、第３ホルダ８の両アーム間の距離が順次大きくなるので、収容ステーションにある時、第１ホルダ６、第２ホルダ７、第３ホルダ８が互いに干渉せずに重ね合わせられ、占有空間が最小化されている。
【００３０】
実施例１では、図４、図５、図６、図７及び図８に示すように、前記駆動モジュール２とハウジング１との間の隙間に杭部９が設けられ、前記第１ホルダ６、第２ホルダ７、第３ホルダ８が駆動モジュール２、杭部９及びハウジング１に順次ヒンジ連結されている。実施例１の構造により、第１ホルダ６、第２ホルダ７、第３ホルダ８が異なる軸方向位置及び幅位置にヒンジ連結されるので、互いに干渉せずに回転することができる。
【００３１】
実施例１では、図２及び図８に示すように、前記ハウジング１は、半筐体状をなしており、出力軸が外方に向かうように前記駆動モジュール２がハウジング１の前半部分に位置し、前記ハウジング１の後半部分がカッターユニットの収容室１０である。実施例１のハウジング１が２つの部分に分けられたので、どのステーションにあっても、マルチグルーマーの外形はほぼ変わらず、美観で収納や保管に便利である。
【００３２】
実施例１では、図８に示すように、前記ハウジング１の前半部分には駆動モジュール２を収容するための収納室１１が設けられ、前記ハウジング１と収納室１１とが一体成形されている。実施例１のハウジング１の構造は、製造しやすく、駆動モジュール２の取り付けが堅固で動かない。
【００３３】
実施例１では、図４、図５、図６、図７及び図８に示すように、前記ハウジング１には上蓋１２がヒンジ連結され、前記上蓋１２は、開放の際にカッターユニットを切り替えるための第１位置と、閉鎖の際に使用又は収容するための第２位置とを有する。実施例１では、可動な上蓋１２を用いることで、カッターユニットの切り替えに有利であるほか、各カッターユニットを保護する役割も果たしている。
【００３４】
実施例１では、図４、図５、図６、図７及び図８に示すように、前記上蓋１２には駆動モジュール２のスイッチボタンを露出させるための切欠き１３が設けられている。実施例１では、駆動モジュール２のスイッチボタンが上蓋１２側に設けられているが、所望により他の位置に設けられていてもよい。
【００３５】
実施例１では、図２及び図１２に示すように、前記クラッチ式軸継手は、駆動モジュール２の出力軸に取り付けられる駆動磁極１４と、カッターユニットの入力軸に取り付けられる従動磁極１５とを備える磁気軸継手である。実施例１では、磁気軸継手をクラッチ式軸継手として用いるが、従来の剛性軸継手又は弾性軸継手に比べて優れた連結・分離性能を有する。
【００３６】
実施例１では、図１３に示すように、前記磁気軸継手は、平面型同期伝動手段であり、前記駆動磁極１４と従動磁極１５との対向するディスク平面には、Ｎ極とＳ極が交互に配置された磁石が設けられている。実施例１では、６つの磁石が交互に配置されているが、本発明は、実際の状況に応じて他の数量の磁石で駆動磁極１４と従動磁極１５とを構成していてもよい。また、平面型同期伝動手段は同軸型伝動手段などの磁気軸継手に比して、連結・分離が容易となる。
【００３７】
実施例１では、図１２に示すように、前記ハウジング１には駆動磁極１４と外部とを隔離するための隔離層１６が設けられている。実施例１の駆動磁極１４に隔離層１６が設けられることで、駆動モジュール２が外部から完全に隔離され、まるごと水洗いが可能となる。
【００３８】
実施例２では、図１４に示すように、前記クラッチ式軸継手は、駆動モジュール２の出力軸に取り付けられる三角形の出力部１７と、カッターユニットの入力軸に取り付けられる凹状の連結部１８とを備え、前記三角形の出力部１７は、伸縮可能であり、圧縮された時にカッターを切り替えるための第１位置と、凹状の連結部１８内に伸長した時に伝動するための第２位置とを有する。実施例２の三角形の出力部１７は、弾性部材又はポジションボタンで位置を変化させることができ、実施例１の磁気軸継手に比して、連結・分離がスムーズではないが、伝動構造が成熟化し、汎用性が良好で、動力伝達が安定している。
【００３９】
実施例２では、図１５に示すように、前記凹状の連結部１８には三角形の出力部１７と嵌合するＹ字状溝が設けられ、前記Ｙ字状溝の３つの直溝の同側の辺にいずれも斜面１９が設けられている。実施例２における斜面１９を介して三角形の出力部１７が凹状の連結部１８にスムーズに入ることができ、連結・分離が手軽にできる。
【００４０】
当然ながら、本発明の前記実施例は、本発明を説明するために例示したものに過ぎず、本発明の実施形態を限定するものではない。当業者であれば、上述した説明に基づいて、他の様々な変更又は変形を行うことができる。ここでは、すべての実施形態を挙げる可能性も必要性もない。これらの本発明の精神から導出した明らかな変更又は変形は本発明の保護範囲に含まれるべきである。
【図１】
0006424278.tif 000002
【図２】
0006424278.tif 000003
【図３】
0006424278.tif 000004
【図４】
0006424278.tif 000005
【図５】
0006424278.tif 000006
【図６】
0006424278.tif 000007
【図７】
0006424278.tif 000008
【図８】
0006424278.tif 000009
【図９】
0006424278.tif 000010
【図１０】
0006424278.tif 000011
【図１１】
0006424278.tif 000012
【図１２】
0006424278.tif 000013
【図１３】
0006424278.tif 000014
【図１４】
0006424278.tif 000015
【図１５】
0006424278.tif 000016